(57)【要約】【課題】車両を媒体として出力される広告に関する情報に容易にアクセスできる広告システムを提供する。【解決手段】複数の車両にそれぞれ備えられた表示装置を介して出力される広告の識別子と、当該広告が出力される前記車両の位置情報の履歴と、を関連付けて走行履歴情報として記憶する記憶部と、ユーザ端末から送信された、前記ユーザ端末の位置に関する情報を含んだデータ取得要求を取得することと、前記データ取得要求と前記走行履歴情報に基づいて、前記ユーザ端末に近接した一台以上の前記車両を抽出することと、前記抽出された車両によって出力された広告のリストを生成し、前記広告のリストを前記ユーザ端末に送信することと、を実行する制御部と、を有する。【選択図】図１
2020021027.tif 000002
【特許請求の範囲】
【請求項１】
複数の車両にそれぞれ備えられた表示装置を介して出力される広告の識別子と、当該広告が出力される前記車両の位置情報の履歴と、を関連付けて走行履歴情報として記憶する記憶部と、
ユーザ端末から送信された、前記ユーザ端末の位置に関する情報を含んだデータ取得要求を取得することと、
前記データ取得要求と前記走行履歴情報に基づいて、前記ユーザ端末に近接した一台以上の前記車両を抽出することと、
前記抽出された車両によって出力された広告のリストを生成し、前記広告のリストを前記ユーザ端末に送信することと、
を実行する制御部と、
を有する、情報処理装置。
【請求項２】
前記制御部は、
前記ユーザ端末によって前記リストの中から選択された広告の識別子を取得し、
前記選択された広告に対応する詳細情報を取得して前記ユーザ端末に送信する、
請求項１に記載の情報処理装置。
【請求項３】
前記走行履歴情報は、前記車両の時刻ごとの位置を表した情報であり、
前記データ取得要求は、前記ユーザ端末によって指定された第一の時刻をさらに含み、
前記制御部は、前記第一の時刻をさらに用いて前記車両を抽出する、
請求項１または２に記載の情報処理装置。
【請求項４】
前記制御部は、時空間ネットワークにおける前記車両と前記ユーザ端末との距離が小さい車両を優先的に抽出し、前記リストを生成する、
請求項３に記載の情報処理装置。
【請求項５】
前記制御部は、前記車両から走行位置を周期的に取得し、前記走行履歴情報を更新する、
請求項１から４のいずれかに記載の情報処理装置。
【請求項６】
複数の車両にそれぞれ備えられた表示装置を介して出力される広告の識別子と、当該広告が出力される前記車両の位置情報の履歴と、を関連付けた走行履歴情報を取得するステップと、
ユーザ端末から送信された、前記ユーザ端末の位置に関する情報を含んだデータ取得要求を取得するステップと、
前記データ取得要求と前記走行履歴情報に基づいて、前記ユーザ端末に近接した一台以上の前記車両を抽出するステップと、
前記抽出された車両によって出力された広告のリストを生成し、前記広告のリストを前記ユーザ端末に送信するステップと、
を含む、情報処理方法。
【請求項７】
請求項６に記載の情報処理方法をコンピュータに実行させるためのプログラム。
【発明の詳細な説明】
【技術分野】
【０００１】
本発明は、車両を媒体とした広告提供技術に関する。
【背景技術】
【０００２】
近年、車両を媒体として広告を行う技術の検討が進められている。例えば、車両の外部に表示装置を設け、表示する広告を動的に決定することで、周辺の状況に応じて適切な広告を表示することができ、高い広告効果を得ることができる。
【先行技術文献】
【特許文献】
【０００３】
【特許文献１】特開２００６−１０６７４２号公報
【特許文献２】特開２００２−１５７５１３号公報
【発明の概要】
【発明が解決しようとする課題】
【０００４】
車両を媒体として掲出した広告の効果を高めるためには、当該広告を見たユーザに対して、関連する情報へのアクセスを促す必要がある。例えば、広告が、店舗で行うセールに関するものである場合、当該店舗への経路案内や、セールの内容に関する情報を提供することが好ましい。
【０００５】
本発明は上記の課題を考慮してなされたものであり、車両を媒体として出力される広告に関する情報に容易にアクセスできる広告システムを提供することを目的とする。
【課題を解決するための手段】
【０００６】
本発明の第一の態様に係る情報処理装置は、
複数の車両にそれぞれ備えられた表示装置を介して出力される広告の識別子と、当該広告が出力される前記車両の位置情報の履歴と、を関連付けて走行履歴情報として記憶する記憶部と、ユーザ端末から送信された、前記ユーザ端末の位置に関する情報を含んだデータ取得要求を取得することと、前記データ取得要求と前記走行履歴情報に基づいて、前記ユーザ端末に近接した一台以上の前記車両を抽出することと、前記抽出された車両によって出力された広告のリストを生成し、前記広告のリストを前記ユーザ端末に送信することと、を実行する制御部と、を有することを特徴とする。
【０００７】
また、本発明の第二の態様に係る情報処理方法は、
複数の車両にそれぞれ備えられた表示装置を介して出力される広告の識別子と、当該広告が出力される前記車両の位置情報の履歴と、を関連付けた走行履歴情報を取得するステップと、ユーザ端末から送信された、前記ユーザ端末の位置に関する情報を含んだデータ取得要求を取得するステップと、前記データ取得要求と前記走行履歴情報に基づいて、前記ユーザ端末に近接した一台以上の前記車両を抽出するステップと、前記抽出された車両によって出力された広告のリストを生成し、前記広告のリストを前記ユーザ端末に送信するステップと、を含むことを特徴とする。
【０００８】
また、本発明の第三の態様は、上記の情報処理方法をコンピュータに実行させるためのプログラム、または、該プログラムを非一時的に記憶したコンピュータ可読記憶媒体である。
【発明の効果】
【０００９】
本発明によれば、車両を媒体として出力される広告に関する情報に容易にアクセスできる広告システムを提供することができる。
【図面の簡単な説明】
【００１０】
【図１】実施形態に係る広告配信システムの構成概略図である。
【図２】第一の実施形態に係る車両１０のシステム構成図である。
【図３】車両１０が有する表示装置の位置を説明する図である。
【図４】第一の実施形態に係るサーバ装置２０のシステム構成図である。
【図５】データベースに記憶される広告情報テーブルの例である。
【図６】データベースに記憶される車両情報テーブルの例である。
【図７】データベースに記憶される走行履歴テーブルの例である。
【図８】第一の実施形態に係るユーザ端末３０のシステム構成図である。
【図９】サーバ装置２０が行う処理のフローチャートである。
【図１０】車両１０が行う処理のフローチャートである。
【図１１】広告に関連する情報をユーザ端末３０に提供する処理のフロー図である。
【図１２】車両１０が抽出される範囲を説明する図である。
【図１３】ユーザ端末３０に提供される広告リストの例である。
【発明を実施するための形態】
【００１１】
本発明に係る広告配信システムは、サーバ装置が複数の車両に広告を配信し、当該複数の車両が、それぞれ表示装置を用いて広告を掲出するシステムである。
本実施形態に係る車両は、サーバ装置から受信した広告（静止画または動画）を、走行中において、車体の外部に設けられた表示装置を介して出力する。かかる形態においては、広告を視認した消費者（以下、ユーザと称する）が、当該広告に関連する情報に容易にアクセスできる環境を提供することが好ましい。
【００１２】
そこで、本発明に係る広告配信システムでは、広告を管理するサーバ装置が、車両を介して出力された広告の識別子と、当該広告が出力される車両の位置情報の履歴と、を関連付けて走行履歴情報として記憶し、ユーザが所持する端末（ユーザ端末）から要求があった場合に、記憶された走行履歴情報と、ユーザ端末の位置情報とに基づいて、ユーザ端末に近接した一台以上の車両を抽出する。また、抽出された車両によって出力された広告のリストを生成し、当該広告のリストをユーザ端末に送信する。
かかる構成によると、ユーザ端末に近接した車両によって出力された広告に関するさらなる情報をユーザに提供することができる。
【００１３】
また、前記制御部は、前記ユーザ端末によって前記リストの中から選択された広告の識別子を取得し、前記選択された広告に対応する詳細情報を取得して前記ユーザ端末に送信することを特徴としてもよい。かかる構成によると、広告に対応する詳細な情報へのアクセスを容易にさせることができる。
【００１４】
また、前記走行履歴情報は、前記車両の時刻ごとの位置を表した情報であり、前記データ取得要求は、前記ユーザ端末によって指定された第一の時刻をさらに含み、前記制御部は、前記第一の時刻をさらに用いて前記車両を抽出することを特徴としてもよい。
ユーザが視認したと推定される車両の抽出は、距離のほかに時間を併用して行うことが好ましいためである。
【００１５】
また、前記制御部は、時空間ネットワークにおける前記車両と前記ユーザ端末との距離が小さい車両を優先的に抽出し、前記リストを生成することを特徴としてもよい。
すなわち、空間的に近接しており、かつ、時間的に近接している車両をより優先的に抽出する。これにより、ユーザが視認した可能性が高い車両をより優先して抽出することが
でき、広告リストに優先度を付与するといったことが可能になる。
【００１６】
また、前記制御部は、前記車両から走行位置を周期的に取得し、前記走行履歴情報を更新することを特徴としてもよい。
かかる構成によると、時刻ごとの車両の位置情報を履歴として残すことが可能になり、より精度のよい判定を行えるようになる。
【００１７】
以下、本発明の具体的な実施形態について図面に基づいて説明する。各実施形態に記載されているハードウェア構成、モジュール構成、機能構成等は、特に記載がない限りは発明の技術的範囲をそれらのみに限定する趣旨のものではない。
【００１８】
（第一の実施形態）
まず、第一の実施形態に係る広告配信システムの構成概略を図１に示す。本実施形態に係る広告配信システムは、複数の車両１０と、サーバ装置２０と、ユーザが携帯するユーザ端末３０とを含んで構成される。なお、本実施形態において、ユーザとは、車両１０によって出力された広告の訴求対象である人を指す。
【００１９】
車両１０は、車両の外部に複数の表示装置を備えた自動車であり、サーバ装置２０から受信した広告データに基づいて、所定の広告を掲出することができる。なお、本実施形態において、広告の掲出とは、表示装置に画像データを出力し、静止画像または動画像を表示させることを指す。なお、システムに含まれる車両１０の数は例示したものに限られず、何台であってもよい。
車両１０は、サーバ装置２０から広告データを取得し、走行中において、広告を表示装置に出力する。また、車両１０は、位置情報と、掲出中の広告に関する情報を、サーバ装置２０に周期的に送信する。
【００２０】
サーバ装置２０は、複数の車両１０と、車両１０によって掲出される広告を管理するサーバである。サーバ装置２０は、広告に関するデータと、車両に関するデータを保持しており、各車両１０に対して配信する広告の決定、各車両１０に対する広告の配信、実績の管理（例えば、広告主向けのレポート生成等）などを行う。
複数の車両１０の走行位置や走行履歴、各車両１０によって掲出された広告の識別子などは、サーバ装置２０によって管理される。
また、サーバ装置２０は、後述するユーザ端末３０から送信された要求に応じて、車両１０が掲出した広告に関する情報を提供する機能を有する。
【００２１】
ユーザ端末３０は、消費者（ユーザ）が所持する端末である。なお、システムに含まれるユーザ端末３０の数は例示したものに限られず、何台であってもよい。
サーバ装置２０は、ユーザ端末３０から要求があった場合に、当該ユーザ端末３０の近傍に位置する複数の車両１０を抽出し、抽出した車両によって掲出されていた広告のリストを生成し、ユーザ端末３０に提供する。また、ユーザ端末３０によって広告が選択されると、当該広告に関する詳細な情報がサーバ装置２０からユーザ端末３０へ提供される。
【００２２】
本実施形態に係る広告配信システムでは、車両１０、サーバ装置２０、ユーザ端末３０が、ネットワークによって相互に接続される。ネットワークには、例えば、インターネット等の世界規模の公衆通信網であるＷＡＮ（Ｗｉｄｅ  Ａｒｅａ  Ｎｅｔｗｏｒｋ）やその他の通信網が採用されてもよい。また、ネットワークは、携帯電話等の電話通信網、Ｗｉ−Ｆｉ（登録商標）等の無線通信網を含んでもよい。
【００２３】
次に、車両１０の構成について説明する。図２は、車両１０のシステム構成を示した図である。
車両１０は、表示装置１０１、制御部１０２、記憶部１０３、通信部１０４、位置情報取得部１０５を有して構成される。
【００２４】
表示装置１０１は、車両１０の外部に設けられた複数の表示装置からなるユニットである。本実施形態では、車両１０は、図３に示したように、車両の外部に向けて配置された複数の表示装置（表示装置１０１Ａ，表示装置１０１Ｂ，…，表示装置１０１ｎ）を有して構成される（区別する必要がない場合、表示装置１０１と総称する）。
表示装置１０１は、液晶ディスプレイ、有機ＥＬディスプレイ、ＬＥＤマトリクス、プロジェクタなどを用いて構成することができる。
【００２５】
表示装置の数は、車両１０のタイプないし車種によって異なる。表示装置は、例えば、左側面、右側面、車両後方、車両上方など、複数の位置に配置されていてもよい。例えば、対象車両がトラックである場合、左側面、右側面、車両後方の三箇所に表示装置を配置することができる。また、対象車両がセダンである場合、左側面（前ドア）、左側面（後ドア）、右側面（前ドア）、右側面（後ドア）の四箇所に表示装置を配置することができる。
なお、表示装置１０１の配置位置は、これ以外であってもよい。例えば、ガラスに映像を投影できる場合、窓ガラス（例えば、サイドウインドウ、リアウインドウ等）に配置してもよい。
【００２６】
制御部１０２は、車両１０が有する機能のうち、広告を出力する機能を司る演算装置である。制御部１０２は、ＣＰＵ（Central Processing Unit）などの演算処理装置によっ
て実現することができる。
制御部１０２は、広告取得部１０２１と、広告出力部１０２２と、通知部１０２３の三つの機能モジュールを有して構成される。各機能モジュールは、後述する記憶部１０３に記憶されたプログラムをＣＰＵによって実行することで実現してもよい。
【００２７】
広告取得部１０２１は、サーバ装置２０から、表示装置１０１に出力する広告に関するデータ（広告データ）を取得する。広告データの取得は、車両１０が走行を開始する直前ないし走行中に行うことが好ましいが、この限りではない。例えば、イグニッションをＯＮにしたタイミング、目的地を設定したタイミング、走行を開始したタイミングなどで行うことができる。広告取得部１０２１が取得した広告データは、後述する記憶部１０３に記憶される。
【００２８】
広告出力部１０２２は、広告データに含まれる広告を表示装置１０１に出力する。なお、広告を出力する条件が広告データに設定されている場合、条件が適合した場合にのみ広告の出力を行うようにしてもよい。また、広告データによって、表示装置の位置や大きさが指定されている場合、指定に従って出力を行うようにしてもよい。
【００２９】
通知部１０２３は、広告の掲出に関する情報をサーバ装置２０に通知する。具体的には、車両の現在位置、現在掲出中の広告の識別子、その他、広告に関する情報を収集し、サーバ装置２０に送信する。
各モジュールが行う具体的な処理の内容については後述する。
【００３０】
記憶部１０３は、主記憶装置と補助記憶装置を含んで構成される。主記憶装置は、制御部１０２によって実行されるプログラムや、当該制御プログラムが利用するデータが展開されるメモリである。補助記憶装置は、制御部１０２において実行されるプログラムや、当該制御プログラムが利用するデータが記憶される装置である。補助記憶装置には、プログラムを実行するためのオペレーティングシステムを記憶してもよい。補助記憶装置に記憶されたプログラムが主記憶装置にロードされ、制御部１０２によって実行されることで
、前述した機能が実現される。
【００３１】
通信部１０４は、車両１０をネットワークに接続するための無線通信インタフェースである。通信部１０４は、例えば、無線ＬＡＮや３Ｇ、ＬＴＥ等の移動体通信サービスを介して、ネットワークへのアクセスを提供する。
位置情報取得部１０５は、車両１０の位置情報を取得する手段である。位置情報取得部１０５は、例えば、ＧＰＳモジュールを含んで構成され、車両１０の位置情報（例えば、緯度と経度）を取得する。
【００３２】
なお、図２に示した構成は一例であり、図示した機能の全部または一部は、専用に設計された回路を用いて実行されてもよい。また、図示した以外の、主記憶装置および補助記憶装置の組み合わせによってプログラムの記憶ないし実行を行ってもよい。
【００３３】
次に、サーバ装置２０の構成について説明する。
図４は、サーバ装置２０のシステム構成を示した図である。サーバ装置２０は、通信部２０１、記憶部２０２、制御部２０３を含んで構成される。
【００３４】
サーバ装置２０は、一般的なコンピュータにより構成される。すなわち、サーバ装置２０は、ＣＰＵやＧＰＵ等のプロセッサ、ＲＡＭやＲＯＭ等の主記憶装置、ＥＰＲＯＭ、ハードディスクドライブ、リムーバブルメディア等の補助記憶装置を有するコンピュータである。なお、リムーバブルメディアは、例えば、ＵＳＢメモリ、あるいは、ＣＤやＤＶＤのようなディスク記録媒体であってもよい。補助記憶装置には、オペレーティングシステム（ＯＳ）、各種プログラム、各種テーブル等が格納され、そこに格納されたプログラムを主記憶装置の作業領域にロードして実行し、プログラムの実行を通じて各構成部等が制御されることによって、後述するような、所定の目的に合致した各機能を実現することができる。ただし、一部または全部の機能はＡＳＩＣやＦＰＧＡのようなハードウェア回路によって実現されてもよい。なお、サーバ装置２０は、単一のコンピュータで構成されてもよいし、互いに連携する複数台のコンピュータによって構成されてもよい。
【００３５】
通信部２０１は、サーバ装置２０をネットワークに接続するための通信インタフェースである。通信部２０１は、例えば、ネットワークインタフェースボードや、無線通信のための無線通信回路を含んで構成される。
【００３６】
記憶部２０２は、主記憶装置と補助記憶装置を含んで構成される。主記憶装置は、制御部２０３によって実行されるプログラムや、当該制御プログラムが利用するデータが展開されるメモリである。補助記憶装置は、制御部２０３において実行されるプログラムや、当該制御プログラムが利用するデータが記憶される装置である。主記憶装置および補助記憶装置については、記憶部１０３と同様であるため、詳細な説明は省略する。
【００３７】
さらに、記憶部２０２は、広告情報データベース２０２Ａ、車両情報データベース２０２Ｂ、走行履歴データベース２０２Ｃを記憶する。
広告情報データベース２０２Ａは、車両１０に配信する広告に関するデータを記憶するデータベースである。これらのデータは、広告主によって生成されたものである。
車両情報データベース２０２Ｂは、車両１０の属性や特徴を記憶するデータベースである。これらのデータは、車両１０をシステムに登録する際に生成されたものである。
走行履歴データベース２０２Ｃは、車両１０の走行履歴を記憶するデータベースである。走行履歴は、例えば、車両１０が走行した経路や地点、広告の掲出ステータス、掲出していた広告の識別子などを含む。これらのデータは、車両１０から収集した情報に基づいて更新される。
【００３８】
これらのデータベースは、プロセッサによって実行されるデータベース管理システム（ＤＢＭＳ）のプログラムが、記憶装置に記憶されるデータを管理することで構築される。本実施形態において利用されるデータベースは、例えばリレーショナルデータベースである。
【００３９】
ここで、広告情報データベース２０２Ａに格納されるデータについて、図５を参照して説明する。図５は、広告情報データベース２０２Ａに格納される広告情報テーブルの構成の一例を示す図である。図示したように、広告情報テーブルには、広告の属性に関する情報（符号５０１）、広告を掲出する条件に関する情報（符号５０２）、広告を掲出する車両を指定する情報（符号５０３）、車両が有する表示装置１０５に出力されるデータ（符号５０４）、広告の概要であるサマリ情報（符号５０５）、広告の詳細情報（符号５０６）が格納される。サマリ情報と詳細情報は、プレーンテキストで記述されたものであってもよいし、マークアップ言語等で記述されたものであってもよい。広告情報データベース２０２Ａに格納された個々のデータを広告データと称する。
【００４０】
次に、車両情報データベース２０２Ｂに格納されるデータについて、図６を参照して説明する。図６は、車両情報データベース２０２Ｂに格納される車両情報のテーブル構成の一例を示す図である。車両情報テーブルには、車両の種別と、表示装置に関する情報が格納される。表示装置に関する情報は、例えば、表示装置の設置位置、設置位置ごとの枚数、表示面積などが含まれるが、これ以外の情報が含まれてもよい。
【００４１】
次に、走行履歴データベース２０２Ｃに格納されるデータについて、図７を参照して説明する。図７は、走行履歴データベース２０２Ｃに格納される走行履歴のテーブル構成の一例を示す図である。走行履歴テーブルには、車両の識別子（車両ＩＤ）、日付および時刻、車両１０の位置情報（例えば、緯度および経度）、広告の掲出ステータス、対応するタイミングで出力していた広告の識別子（広告ＩＤ）が格納される。
広告の掲出ステータスは、例えば、「掲出」「非掲出」「駐車中」「運行終了」など、広告の掲出状態を表す情報である。車両１０が、広告主によって指定されたエリア外を走行している、指定された時間帯以外を走行しているなど、何らかの理由によって広告の掲出が行われなかった場合、掲出ステータスにその理由を含めてもよい。
データベースに格納されたデータの利用法については後述する。
【００４２】
制御部２０３は、サーバ装置２０が行う制御を司る演算装置である。制御部２０３は、ＣＰＵなどの演算処理装置によって実現することができる。
制御部２０３は、広告配信部２０３１と、車両管理部２０３２と、詳細情報提供部２０３３の３つの機能モジュールを有して構成される。各機能モジュールは、補助記憶手段に記憶されたプログラムをＣＰＵによって実行することで実現してもよい。
【００４３】
広告配信部２０３１は、特定の車両１０に掲出させる広告を決定し、対応する広告データを当該車両１０に送信する。
車両管理部２０３２は、複数の車両１０と周期的に通信を行い、車両１０の位置情報と、当該車両１０によって掲出されている広告の識別子を収集し、走行履歴データベース２０２Ｃを更新する。
詳細情報提供部２０３３は、ユーザ端末３０から要求があった場合に、当該ユーザ端末３０に近接した一台以上の車両１０を抽出し、当該車両によって掲出された広告のリストを生成して、ユーザ端末３０に送信する。また、リストに含まれた広告のうち、いずれかが指定された場合に、当該広告に対応する詳細情報を取得してユーザ端末３０に送信する。
【００４４】
次に、ユーザ端末３０の構成について説明する。図８は、ユーザ端末３０のシステム構
成を示した図である。
ユーザ端末３０は、例えばスマートフォン、携帯電話、タブレットコンピュータ、個人情報端末、ノートブックコンピュータ、ウェアラブルコンピュータ（スマートウォッチ等）といった小型のコンピュータである。ユーザ端末３０は、制御部３０１、記憶部３０２、位置情報取得部３０３、通信部３０４、入出力部３０５を含んで構成される。
【００４５】
制御部３０１は、ユーザ端末３０が行う制御を司る演算装置である。制御部３０１は、ＣＰＵ（Central Processing Unit）などの演算処理装置によって実現することができる
。
制御部３０１は、サーバ装置２０にアクセスし、車両１０が掲出した広告の詳細情報を要求する機能を実行する。
具体的な処理内容については後述する。
【００４６】
記憶部３０２は、主記憶装置と補助記憶装置を含んで構成される。主記憶装置は、制御部３０１によって実行されるプログラムや、当該制御プログラムが利用するデータが展開されるメモリである。補助記憶装置は、制御部３０１において実行されるプログラムや、当該制御プログラムが利用するデータが記憶される装置である。補助記憶装置には、制御部３０１で実行されるプログラムをアプリケーションとしてパッケージ化したものを記憶してもよい。また、これらのアプリケーションを実行するためのオペレーティングシステムを記憶してもよい。補助記憶装置に記憶されたプログラムが主記憶装置にロードされ、制御部３０１によって実行されることで、以降に説明する処理が行われる。
【００４７】
主記憶装置は、ＲＡＭ（Random Access Memory）やＲＯＭ（Read Only Memory）を含んでもよい。また、補助記憶装置は、ＥＰＲＯＭ（Erasable Programmable ROM）やハード
ディスクドライブ（ＨＤＤ、Hard Disk Drive）を含んでもよい。さらに、補助記憶装置
は、リムーバブルメディア、すなわち可搬記録媒体を含んでもよい。リムーバブルメディアは、例えば、ＵＳＢ（Universal Serial Bus）メモリ、あるいは、ＣＤ（Compact Disc）やＤＶＤ（Digital Versatile Disc）のようなディスク記録媒体である。
【００４８】
位置情報取得部３０３は、ユーザ端末３０の位置情報を取得する手段である。位置情報取得部３０３は、例えば、ＧＰＳモジュールを含んで構成され、ユーザ端末３０の位置情報（例えば、緯度と経度）を取得する。
通信部３０４は、ユーザ端末３０をネットワークに接続するための無線通信インタフェースである。通信部３０４は、例えば、無線ＬＡＮや３Ｇ、ＬＴＥ等の移動体通信サービスを介して、ネットワークへのアクセスを提供する。
入出力部３０５は、利用者が行った入力操作を受け付け、利用者に対して情報を提示する手段である。本実施形態では一つのタッチパネルディスプレイからなる。すなわち、液晶ディスプレイとその制御手段、タッチパネルとその制御手段から構成される。
【００４９】
次に、本実施形態に係る広告配信システムによって車両１０に広告を配信し、掲出する処理について説明する。図９は、サーバ装置２０が実行する処理のフローチャートである。なお、図９に示した処理は、管理サーバ２０が管理する対象である複数の車両１０のそれぞれについて周期的に実行される。
【００５０】
まず、ステップＳ１１にて、管理対象である車両１０から、位置情報と、現在掲出中の広告ＩＤ、広告の掲出ステータスを取得する。具体的には、車両管理部２０３２が、複数の車両１０（通知部１０２３）に対して問い合わせを行い、通知部１０２３が、位置情報取得部１０５を介して取得した位置情報を応答として送信する。また、通知部１０２３は、掲出中の広告の有無（広告を掲出中である場合はそのＩＤ）と、広告の掲出ステータスを送信する。なお、本例では、サーバ装置２０が車両１０に対して周期的に問い合わせる
ものとするが、車両１０が周期的にサーバ装置２０に対して前述した情報をプッシュ送信するように構成してもよい。その場合、ステップＳ１１は、必ずしも図示したタイミングで実行されなくてもよい。
【００５１】
次に、ステップＳ１２で、広告配信部２０３１が、対象の車両１０が広告を現在掲出しているか否かを判定する。ここで、否定判定であった場合、ステップＳ１３へ遷移し、対象の対象１０によって掲出可能な一つ以上の広告を取得する。
ある車両１０によって掲出可能な広告があるか否かは、例えば、広告ごとに設定された条件が、車両１０の属性に適合するか否かによって判定することができる。例えば、図５の符号５０３に示すように、車両の種別や表示装置についての条件が指定されていた場合、車両１０の属性が条件に適合するか否かによって、広告の掲出可否が決定される。
対象の車両１０について適合する広告があった場合、当該広告に関する情報が抽出され、一時的に記憶される。
【００５２】
なお、広告に設定された条件のうち、エリアや時刻に関するものについては、条件を充足するか否かの判定は本ステップでは行われない。これらの条件が充足されるか否かは、車両１０の走行状況によって変化するためである。当該判定は、広告が配信された車両１０によって実行され、車両１０によって広告の掲出可否が決定される。なお、条件が充足されないことが明らかである広告については、本ステップで除外してもよい。
【００５３】
次に、ステップＳ１４で、対象の車両１０に対して、広告の掲出依頼を行うか否かを判定する。例えば、ステップＳ１３で一つ以上の広告が抽出された場合、本ステップで肯定判定となる。そして、ステップＳ１５で、抽出された広告に対応する広告データが、対象の車両１０へ送信される。
【００５４】
ステップＳ１２で肯定判定となるケースは、対象の車両１０が既に広告を掲出して走行中であるケースである。かかる場合、ステップＳ１６で、車両１０から取得した位置情報および広告ＩＤを用いて、走行履歴テーブルを更新する。具体的には、車両管理部２０３２が、走行履歴データベース２０２Ｃに記憶された走行履歴テーブルに、車両ＩＤ、日付、時刻、位置情報、ステータス、掲出広告ＩＤを含んだレコードを追加する。
【００５５】
次に、ステップＳ１７で、広告の掲出を終了する車両があるか否かを判定する。本ステップでは、車両１０から取得した情報に基づいて、掲出を終了する条件が満たされた広告があるか否かを判定する。例えば、ある広告について、総掲出時間が指定されていた場合であって、広告の総掲出時間が指定された時間を超えた場合、当該広告については掲出終了と判定される。また、ある広告を掲出している車両１０の運行が終了した場合（例えば、イグニッションがオフになった場合など）、当該広告については掲出終了と判定される。
【００５６】
ステップＳ１７で肯定判定となった場合、処理はステップＳ１８へ遷移し、該当する車両による広告掲出を終了させる。具体的には、広告配信部２０３１が、対応する車両１０に対して、広告の掲出を停止する指令を送信する。
【００５７】
以上に説明した処理は、サーバ装置２０の管理下にある全ての車両１０について繰り返し実行される。
【００５８】
次に、車両１０が行う処理について説明する。
図１０は、車両１０が実行する処理のフローチャートである。図１０に示した処理は、車両１０によって周期的に実行される。なお、車両１０は、サーバ装置２０から広告データが送信された場合において、当該広告データを随時受信し、記憶するものとする。
【００５９】
まず、ステップＳ２１で、サーバ装置２０からの問い合わせに応答して、通知部１０２３が、位置情報取得部１０５を介して取得した位置情報と、掲出中の広告の有無（広告を掲出中である場合はそのＩＤ）と、広告の掲出ステータスをサーバ装置２０に送信する。
なお、本例では、サーバ装置２０からの問い合わせに応答して車両１０が情報を送信する例を挙げたが、車両１０が所定の周期でサーバ装置２０に対して前述した情報をプッシュ送信するように構成してもよい。その場合、ステップＳ２１は、必ずしも図示したタイミングで実行されなくてもよい。
【００６０】
次に、ステップＳ２２で、広告出力部１０２２が、サーバ装置２０から既に広告データを受信しているか否かを判定する。ここで、否定判定であった場合、処理はステップＳ２１へ戻る。肯定判定であった場合、ステップＳ２３へ遷移し、現在の状況と、広告データに設定された条件とを比較して、広告を掲出するか否かを決定する。
例えば、広告データに、所定のエリア内でのみ広告を掲出する旨の指定がなされていた場合、当該エリアに関する条件と、位置情報取得部１０５を介して取得した位置情報とを比較した結果に基づいて、広告掲出の可否を決定する。また、広告データに、所定の時間帯でのみ広告を掲出する旨の指定がなされていた場合、当該時間帯に関する条件と、現在日時とを比較した結果に基づいて、広告掲出の可否を決定する。
なお、ここでは、広告の掲出可否を決定する条件としてエリアと時間帯を例示したが、車両１０において判定することができれば、その他の条件を用いてもよい。
【００６１】
ステップＳ２３で行った判定の結果、条件に適合する場合（ステップＳ２４−Ｙｅｓ）、処理はステップＳ２５へ遷移し、広告の掲出を開始（既に広告を掲出している場合は継続）する。条件に適合しない場合（ステップＳ２４−Ｎｏ）、処理はステップＳ２６へ遷移し、広告の掲出を停止する。
以上に説明した処理によって、車両１０による広告の掲出が行われる。
【００６２】
次に、車両１０によって出力された広告に触れたユーザが、当該広告の詳細な情報を取得する処理について、図１１に示したフロー図を参照して説明する。
【００６３】
まず、ステップＳ３１で、ユーザが所持するユーザ端末３０から、サーバ装置２０に対して情報提供リクエストを送信する。ユーザ端末３０には、例えば、広告情報にアクセスするためのアプリケーションソフトウェアがインストールされており、当該ソフトウェアによって、情報提供リクエストが送信される。情報提供リクエストには、位置情報取得部３０３によって取得されたユーザ端末３０の位置情報が含まれる。なお、情報提供リクエストは、Ｗｅｂブラウザ等を介して送信してもよい。
【００６４】
次に、ステップＳ３２で、サーバ装置２０が、走行履歴データベース２０２Ｃに記憶された走行履歴テーブルを参照し、ユーザ端末３０から送信された位置を含む所定の範囲内に存在する車両１０を抽出する。例えば、図１２における符号１２０１で示された地点にユーザ端末３０が存在する場合、当該地点を含む所定の範囲（符号１２０２）内に存在する車両１０を抽出する。
なお、抽出される車両は、必ずしも前述した所定の範囲内に存在している必要はない。例えば、情報提供リクエストに含まれる日時において、所定の範囲内における存在が推定される車両を抽出してもよい。このように、タイムラグを考慮した処理を追加してもよい。
【００６５】
次に、ステップＳ３３で、抽出した車両によって掲出されていた広告の識別子を取得する。具体的には、走行履歴テーブルを参照し、情報提供リクエストに含まれる日時において、抽出した車両１０が掲出していた広告ＩＤのリストを取得する。
次に、ステップＳ３４で、前ステップで取得した広告ＩＤのリストと、広告情報テーブルに記憶されている広告データに基づいて、ユーザ端末３０へ提供する広告のリスト（広告リスト）を生成する。広告リストは、複数の広告のうちいずれかを選択可能なフォーマットで提供される。広告リストは、例えば、ＨＴＭＬなどを用いて生成してもよい。本ステップによって、例えば、図１３のような広告リストが生成される。なお、広告リストは、広告データに含まれるサマリ情報から生成されてもよい。
【００６６】
また、広告リストは、ユーザ端末３０と車両１０との距離に基づいてソートされてもよい。例えば、ユーザ端末３０と、広告を出力した車両１０との距離が近いほど、対応する広告を上位に表示するようにしてもよい。生成された広告リストは、ステップＳ３５でユーザ端末３０に送信され、ユーザに提供される。
【００６７】
ユーザが、広告リストに含まれる広告のうちのいずれかを選択すると（ステップＳ３６）、選択された広告に対応する広告ＩＤがユーザ端末３０からサーバ装置２０へ送信される（ステップＳ３７）。
そして、サーバ装置２０が、広告情報テーブルを参照し、ユーザによって指定された広告ＩＤに対応する広告データに含まれる詳細情報を取得して（ステップＳ３８）、ユーザ端末３０へ送信する（ステップＳ３９）。これにより、ユーザは、車両１０によって掲出されていた広告に関連する情報を取得することができる。
【００６８】
以上説明したように、第一の実施形態によると、複数の車両１０がサーバ装置２０から広告データを受信し、車外の表示装置によって出力するシステムにおいて、広告を視認したユーザを、当該広告の詳細情報に容易にアクセスさせることができるようになる。特に、移動中の車両とユーザ端末とが直接通信しないため、安定して情報を取得することができる。
【００６９】
（第二の実施形態）
第一の実施形態では、ユーザ端末３０から情報提供リクエストが送信された場合に、ユーザ端末３０と車両１０の位置のみに基づいて、広告を掲出した車両１０を抽出した。これに対し、第二の実施形態は、位置関係に加えて時間を考慮して車両１０の抽出を行う実施形態である。
【００７０】
第二の実施形態では、ステップＳ３１で送信される情報提供リクエストが、位置情報に加え、日時情報を含んでいる。当該日時情報は、ユーザが広告を目にした日時を表す情報である。
また、第二の実施形態では、ステップＳ３２で車両を抽出する際に、距離に加え、時間差を考慮して抽出が行われる。具体的には、時空間ネットワーク上におけるユーザ端末３０と車両１０との距離が所定値以下である場合に、当該車両１０を抽出する。すなわち、ユーザ端末３０とある車両１０がより地理的に近接して存在しており、ユーザ端末３０とある車両１０がより時間的に近接して存在していた場合に、当該車両１０を優先的に抽出する。
【００７１】
なお、ステップＳ３２で車両１０を抽出する際や、ステップＳ３４で広告リストを生成する際に、時空間ネットワークにおける距離を用いて優先度を付与してもよい。例えば、時空間ネットワークにおける距離が短い車両１０ほど優先的に抽出してもよいし、対応する広告を、広告リストにおいて上位に配置するといった処理を行ってもよい。
かかる構成によると、ユーザが目にした車両１０によって出力された広告を、より優先してユーザに提供することが可能になる。
【００７２】
（変形例）
上記の実施形態はあくまでも一例であって、本発明はその要旨を逸脱しない範囲内で適宜変更して実施しうる。
【００７３】
例えば、走行履歴テーブルに情報の保持期限を設け、制御部２０３が、期限が経過したレコードを周期的に削除するようにしてもよい。
また、走行履歴テーブルに記録された情報に基づいて、広告の掲出状況に関するレポートを制御部２０３が生成するようにしてもよい。
【００７４】
本開示において説明した処理や手段は、技術的な矛盾が生じない限りにおいて、自由に組み合わせて実施することができる。
【００７５】
また、１つの装置が行うものとして説明した処理が、複数の装置によって分担して実行されてもよい。あるいは、異なる装置が行うものとして説明した処理が、１つの装置によって実行されても構わない。コンピュータシステムにおいて、各機能をどのようなハードウェア構成（サーバ構成）によって実現するかは柔軟に変更可能である。
【００７６】
本発明は、上記の実施形態で説明した機能を実装したコンピュータプログラムをコンピュータに供給し、当該コンピュータが有する１つ以上のプロセッサがプログラムを読み出して実行することによっても実現可能である。このようなコンピュータプログラムは、コンピュータのシステムバスに接続可能な非一時的なコンピュータ可読記憶媒体によってコンピュータに提供されてもよいし、ネットワークを介してコンピュータに提供されてもよい。非一時的なコンピュータ可読記憶媒体は、例えば、磁気ディスク（フロッピー（登録商標）ディスク、ハードディスクドライブ（ＨＤＤ）等）、光ディスク（ＣＤ−ＲＯＭ、ＤＶＤディスク・ブルーレイディスク等）など任意のタイプのディスク、読み込み専用メモリ（ＲＯＭ）、ランダムアクセスメモリ（ＲＡＭ）、ＥＰＲＯＭ、ＥＥＰＲＯＭ、磁気カード、フラッシュメモリ、光学式カード、電子的命令を格納するために適した任意のタイプの媒体を含む。
【符号の説明】
【００７７】
１０・・・車両
１０１・・・表示装置
１０２・・・制御部
１０３・・・記憶部
１０４・・・通信部
１０５・・・位置情報取得部
２０・・・サーバ装置
２０１・・・通信部
２０２・・・記憶部
２０２Ａ・・・広告情報データベース
２０２Ｂ・・・車両情報データベース
２０２Ｃ・・・走行履歴データベース
２０３・・・制御部
【図１】
2020021027.tif 000003
【図２】
2020021027.tif 000004
【図３】
2020021027.tif 000005
【図４】
2020021027.tif 000006
【図５】
2020021027.tif 000007
【図６】
2020021027.tif 000008
【図７】
2020021027.tif 000009
【図８】
2020021027.tif 000010
【図９】
2020021027.tif 000011
【図１０】
2020021027.tif 000012
【図１１】
2020021027.tif 000013
【図１２】
2020021027.tif 000014
【図１３】
2020021027.tif 000015